(57)【要約】【課題】コンテンツの鑑賞者が、再生されたコンテンツを通して、コンテンツが収録された当時の状況をより効果的に感じることができるようにする。【解決手段】本発明の一側面のコンテンツ処理システム１００を構成するコンテンツ処理サーバー２は、コンテンツの生成時におけるコンテンツの付随情報に基づいて、コンテンツの生成時の状況を再現又は強調する調整の調整内容を決定するコンテンツデータ解析部２５と、再生装置１から送信されたコンテンツの再生要求を受信した場合に、コンテンツデータ解析部２５で決定された調整内容に従ってコンテンツを調整して、調整後のコンテンツを再生装置１に送信するコンテンツデータ調整部２７と、を備える。【選択図】図３
2020099014.tif 000002
【特許請求の範囲】
【請求項１】
コンテンツの再生を行う再生装置との間で行われるデータの送受信動作を制御する第１のネットワーク制御部と、
前記コンテンツの生成時における前記コンテンツの付随情報に基づいて、前記コンテンツの生成時の状況を再現又は強調する調整の調整内容を決定する調整内容決定部と、
前記第１のネットワーク制御部が、前記再生装置から送信された前記コンテンツの再生要求を受信した場合に、前記調整内容決定部で決定された調整内容に従って前記コンテンツを調整して、調整後の前記コンテンツを、前記第１のネットワーク制御部を介して前記再生装置に送信する調整部と、を備える
コンテンツ処理装置。
【請求項２】
前記コンテンツの付随情報は、前記コンテンツが生成された時期及び／又は時間の情報である
請求項１に記載のコンテンツ処理装置。
【請求項３】
前記コンテンツの付随情報は、前記コンテンツの生成時に前記コンテンツとともに保持された文字列である
請求項１又は２に記載のコンテンツ処理装置。
【請求項４】
前記コンテンツとともに保持された文字列は、前記コンテンツの周囲、又は、前記コンテンツの保存場所へのアクセス情報の周囲に記載された文字列である
請求項３に記載のコンテンツ処理装置。
【請求項５】
前記調整部による前記調整は、前記コンテンツの全体又は一部に対する調整であり、前記コンテンツが画像である場合には、前記画像の形、色、サイズ、画質、及び、１秒あたりのフレーム数のうちの少なくとも１つを変更する調整であり、前記コンテンツが音声である場合には、右チャンネル及び左チャンネルのそれぞれの調整を含む、前記音声を含む周波数帯域内の時間推移に対する音量及び/又は音質を変更する調整である
請求項２〜４のいずれか一項に記載のコンテンツ処理装置。
【請求項６】
前記調整内容決定部は、前記第１のネットワーク制御部が受信した前記コンテンツの調整内容に対するユーザーの評価結果を取得し、前記評価結果に基づいて前記調整内容を更新する
請求項２〜５のいずれか一項に記載のコンテンツ処理装置。
【請求項７】
記憶部と、
前記コンテンツの付随情報を解析して、前記コンテンツにおいて調整が行われる対象部分である調整対象及び調整内容を決定し、前記調整対象、又は、前記調整対象及び調整内容を、前記コンテンツの付随情報と対応づけて前記記憶部に記憶する調整対象解析部と、をさらに備える
請求項２〜６のいずれか一項に記載のコンテンツ処理装置。
【請求項８】
前記調整対象解析部は、前記第１のネットワーク制御部を介して外部の装置から前記コンテンツ及び前記コンテンツの付随情報を取得し、前記取得したコンテンツ及びコンテンツ付随情報を対応づけて前記記憶部に記憶する
請求項７に記載のコンテンツ処理装置。
【請求項９】
再生装置及びコンテンツ処理装置を備えたコンテンツ処理システムであって、
前記再生装置は、
前記コンテンツ処理装置との間で行われるデータの送受信動作を制御する第２のネットワーク制御部と、
前記コンテンツの再生指示が入力される操作入力部と、
前記操作入力部に前記コンテンツの再生指示が入力された場合に、前記コンテンツの再生要求を、前記ネットワーク制御部を介して前記コンテンツ処理装置に送信する制御部と、
前記コンテンツ処理装置から送信されて前記第２のネットワーク制御部が受信した前記コンテンツの再生を行う再生部と、を備え、
前記コンテンツ処理装置は、
前記再生装置との間で行われるデータの送受信動作を制御する第１のネットワーク制御部と、
前記コンテンツの生成時における前記コンテンツの付随情報に基づいて、前記コンテンツの生成時の状況を再現又は強調する調整の調整内容を決定する調整内容決定部と、
前記第１のネットワーク制御部が、前記再生装置から送信された前記コンテンツの再生要求を受信した場合に、前記調整内容決定部で決定された調整内容に従って前記コンテンツを調整し、調整後の前記コンテンツを、前記第１のネットワーク制御部を介して前記再生装置に送信する調整部と、を備える
コンテンツ処理システム。
【請求項１０】
コンテンツの再生を行う再生装置との間で行われるデータの送受信動作を制御することと、
前記コンテンツの生成時における前記コンテンツの付随情報に基づいて、前記コンテンツの生成時の状況を再現又は強調する調整の調整内容を決定することと、
前記送受信動作の制御に基づいて、前記再生装置から送信された前記コンテンツの再生要求を受信した場合に、前記決定された調整内容に従って前記コンテンツを調整して、調整後の前記コンテンツを前記再生装置に送信することと、を含む
コンテンツ処理方法。
【請求項１１】
コンテンツの再生を行う再生装置との間で行われるデータの送受信動作を制御することと、
前記コンテンツの生成時における前記コンテンツの付随情報に基づいて、前記コンテンツの生成時の状況を再現又は強調する調整の調整内容を決定することと、
前記送受信動作の制御に基づいて、前記再生装置から送信された前記コンテンツの再生要求を受信した場合に、前記決定された調整内容に従って前記コンテンツを調整して、調整後の前記コンテンツを前記再生装置に送信することと、をコンピュータに実行させる
プログラム。
【発明の詳細な説明】
【技術分野】
【０００１】
本発明は、コンテンツ処理装置、コンテンツ処理システム、コンテンツ処理方法及びプログラムに関する。
【背景技術】
【０００２】
従来、ある環境において収録されたコンテンツや、過去のある時間に収録されたコンテンツなどに対して、コンテンツの再生時の環境に基づいた補正を行い、該補正が行われたコンテンツを再生する技術がある。
【０００３】
例えば、特許文献１には、温度センサ、照度センサ、ノイズセンサ等の、ポータブルコンテンツ再生装置の周囲の環境要素を計測する各センサの出力値に基づいて、コンテンツ再生時の環境に応じたコンテンツを自動的に再生する技術が開示されている。
【先行技術文献】
【特許文献】
【０００４】
【特許文献１】特開２００８−１２３５７６号公報
【発明の概要】
【発明が解決しようとする課題】
【０００５】
特許文献１に記載の技術によれば、過去に収録されたコンテンツは、再生時の環境に合わせてカスタマイズされて再生される。つまり、特許文献１に記載の技術では、コンテンツが有するコンテンツが収録された当時（過去）の情報は、コンテンツの再生時には参照されない。
【０００６】
したがって、例えば、冬の時期に撮影された、澄み切った夜空に輝く星を映した録画コンテンツが夏に再生される場合、特許文献１に記載の技術では、録画コンテンツに対して、夏の環境に応じた補正が施されることも想定される。このように、夏の環境に応じた補正が行われた場合、冬空に輝く星が放つ光の雰囲気が、再生されたコンテンツの鑑賞者に伝わりにくくなってしまう可能性がある。
【０００７】
また、例えば、ある著名なコンサートホールにおいて収録された録音コンテンツが、コンテンツの鑑賞者の自宅で再生される場合、特許文献１に記載の技術では、録音コンテンツに対して、自宅の環境に応じた補正が施されることも想定される。この場合、コンサートホールで鑑賞した場合に得られる臨場感を、再生されたコンテンツの鑑賞者が得られなくなってしまう可能性がある。
【０００８】
特許文献１に記載の技術のような、コンテンツに対する補正が行われない場合、過去に収録されたコンテンツは、収録時のそのままの状態で再生される。したがって、例えば、撮影者が目で見て感じた鮮やかさがあまり再現されなかった写真等、収録当時の状況を反映し切れていないコンテンツは、補正されることなくそのままの状態で再生されて、鑑賞者によって鑑賞される。この場合、鑑賞者は、再生されたコンテンツを通して、コンテンツの収録当時の状況を感じることができなくなってしまう。
【０００９】
本発明はこのような状況に鑑みてなされたものである。本発明の目的は、コンテンツの鑑賞者が、再生されたコンテンツを通して、コンテンツが収録された当時の状況をより効果的に感じることができるようにすることを目的とする。
【課題を解決するための手段】
【００１０】
上記課題を解決するため、本発明の一側面を反映したコンテンツ処理装置は、第１のネットワーク制御部と、調整内容決定部と、調整部と、を備える。第１のネットワーク制御部は、コンテンツの再生を行う再生装置との間で行われるデータの送受信動作を制御する。調整内容決定部は、コンテンツの生成時におけるコンテンツの付随情報に基づいて、コンテンツの生成時の状況を再現又は強調する調整の調整内容を決定する。調整部は、第１のネットワーク制御部が、再生装置から送信されたコンテンツの再生要求を受信した場合に、調整内容決定部で決定された調整内容に従ってコンテンツを調整して、調整後のコンテンツを、第１のネットワーク制御部を介して再生装置に送信する。
【発明の効果】
【００１１】
本発明では、コンテンツの生成時の状況を再現又は強調する調整がコンテンツ処理装置によって行われたコンテンツが再生装置に送信され、再生装置において再生される。それゆえ、本発明によれば、コンテンツの鑑賞者が、再生されたコンテンツを通して、コンテンツが収録された当時の状況をより効果的に感じることができるようになる。なお、上記した以外の課題、構成及び効果は、以下の実施形態の説明により明らかにされる。
【図面の簡単な説明】
【００１２】
【図１】本発明の第１の実施形態に係るコンテンツ処理システムの概略構成図である。
【図２】本発明の第１の実施形態に係る再生装置の制御系の構成例を示すブロック図である。
【図３】本発明の第１の実施形態に係るコンテンツ処理サーバーの制御系の構成例を示すブロック図である。
【図４】本発明の第１の実施形態に係るコンテンツデータ解析部による文字列の取得方法の例を示す図である。
【図５】本発明の第１の実施形態に係るコンテンツの収録時期の情報と対応するコンテンツの調整対象及び調整内容が記載されたコンテンツ調整内容テーブルの構成例を示す図である。
【図６】本発明の第１の実施形態に係るコンテンツを形容する文字列の情報と対応するコンテンツの調整対象及び調整内容が記載されたコンテンツ調整内容テーブルの構成例を示す図である。
【図７】本発明の第１の実施形態に係る、コンテンツの種類が画像である場合に参照されるコンテンツ調整量テーブルの構成例を示す図である。
【図８】本発明の第１の実施形態に係る、コンテンツの種類が音声である場合に参照されるコンテンツ調整量テーブルの構成例を示す図である。
【図９】本発明の第１の実施形態に係る再生装置によるコンテンツ処理の手順の例を示すフローチャートである。
【図１０】本発明の第１の実施形態に係るコンテンツ処理サーバーによるコンテンツ処理の手順の例を示すフローチャートである。
【図１１】本発明の第１の実施形態に係るコンテンツ処理サーバーによる送信準備処理の手順の例を示すフローチャートである。
【図１２】本発明の第１の実施形態に係るコンテンツ処理サーバーによる評価反映処理の手順の例を示すフローチャートである。
【図１３】本発明の第１の実施形態に係るコンテンツ処理サーバーによる調整内容決定処理の手順の例を示すフローチャートである。
【図１４】本発明の第２の実施形態に係るコンテンツ処理システムの概略構成図である。
【図１５】本発明の第２の実施形態に係るデータベースサーバーの制御系の構成例を示すブロック図である。
【図１６】本発明の第２の実施形態に係るデータベースサーバーによるコンテンツ処理方法の手順の例を示すフローチャートである。
【図１７】本発明の第２の実施形態に係るデータベースサーバーの調整対象解析部によるデータベース処理の手順の例を示すフローチャートである。
【図１８】本発明の第２の実施形態に係るコンテンツ処理サーバーによる調整内容決定処理の手順の例を示すフローチャートである。
【発明を実施するための形態】
【００１３】
以下、本発明を実施するための形態例について、添付図面を参照して説明する。本明細書及び図面において、実質的に同一の機能又は構成を有する構成要素は、同一の符号を付し、構成要素の重複説明は省略する。
【００１４】
＜第１の実施形態＞
［コンテンツ処理システムの構成］
まず、図１を参照して、本発明の第１の実施形態に係るコンテンツ処理システムの構成について説明する。図１は、本発明の第１の実施形態に係るコンテンツ処理システム１００の概要構成図である。
【００１５】
図１に示すコンテンツ処理システム１００は、再生装置１と、コンテンツ処理サーバー２（コンテンツ処理装置の一例）とを備える。再生装置１は、ユーザー（コンテンツの鑑賞者）又は他者によって収録（生成）されたコンテンツを再生する。コンテンツ処理サーバー２は、再生装置１で再生するコンテンツの調整を行う。再生装置１及びコンテンツ処理サーバー２は、公衆回線網等よりなるネットワークＮを介して接続される。なお、再生装置１及びコンテンツ処理サーバー２は同じ構内に設けられてもよく、この場合、再生装置１及びコンテンツ処理サーバー２は、ＬＡＮ（Local Area Network）等よりなるネットワークＮを介して接続される。
【００１６】
［再生装置の制御系の構成］
次に、図２を参照して、コンテンツ処理システム１００を構成する再生装置１の制御系の構成について説明する。図２は、再生装置１の制御系の構成例を示すブロック図である。なお、図２には、本発明の説明に必要と考える要素又はその関連要素を記載しており、本発明の再生装置は、図２に示す例に限定されない。
【００１７】
再生装置１は、例えば、パーソナルコンピューター、又は、コピー機能、プリンター機能、スキャナー機能などを有するＭＦＰ（Multi-Functional Peripherals）等によって構成される。
【００１８】
図２に示すように、再生装置１は、ＣＰＵ（Central Processing Unit）１０と、操作入力部１１と、表示部１２と、ＲＯＭ（Read Only Memory）１３と、ＲＡＭ（Random Access Memory）１４と、コンテンツデータ再生部１５と、ネットワーク制御部１６（第２のネットワーク制御部の一例）と、を備える。
【００１９】
ＣＰＵ１０は、再生装置１を構成する各部の動作を制御する。例えば、ＣＰＵ１０は、操作入力部１１を介してユーザーよりコンテンツの再生指示が入力された場合、ネットワーク制御部１６を介してコンテンツ処理サーバー２にコンテンツの再生要求を送信する制御を行う。また、ＣＰＵ１０は、コンテンツ処理サーバー２から送信されたコンテンツを、コンテンツデータ再生部１５に再生させる制御を行う。また、ＣＰＵ１０は、コンテンツデータ再生部１５によるコンテンツの再生後に、ユーザーからコンテンツに対する評価を受け付けるための評価入力画面を、表示部１２に表示させる制御を行う。さらに、ＣＰＵ１０は、ユーザーによるコンテンツの評価結果を、ネットワーク制御部１６を介してコンテンツ処理サーバー２に送信させる制御を行う。
【００２０】
操作入力部１１は、例えば、マウスやキーボードなどの入力機器、又は、表示部１２の画面と一体に形成されたタッチセンサ等により構成される。操作入力部１１は、ユーザーにより入力された操作の内容に応じた操作信号を生成して、該操作信号をＣＰＵ１０に供給する。
【００２１】
表示部１２は、例えば、ＬＥＤ（Liquid Crystal Display）や有機ＥＬ（Electro Luminescence）ディスプレイ等よりなる。表示部１２には、コンテンツデータ再生部１５で再生されたコンテンツや、コンテンツの再生後におけるユーザーによる評価を受け付ける評価入力画面等が表示される。評価入力画面には、例えば、評価の案内や、評価項目等が表示される。
【００２２】
ＲＯＭ１３は、ＣＰＵ１０が実行するプログラム等の各種データが記憶される記憶部である。ＲＡＭ１４は、ＣＰＵ１０がプログラムを実行する際の作業領域として使用される。
【００２３】
コンテンツデータ再生部１５は、例えば、スピーカー等よりなり、コンテンツ処理サーバー２から受信したコンテンツを再生する。ネットワーク制御部１６は、例えば、ＮＩＣ（Network Interface Card）よりなり、コンテンツ処理サーバー２との間で行われる各種データの送受信動作を制御する。
【００２４】
［コンテンツ処理サーバーの制御系の構成］
次に、図３を参照して、コンテンツ処理サーバー２の制御系の構成について説明する。図３は、コンテンツ処理サーバー２の制御系の構成例を示すブロック図である。なお、図３には、本発明の説明に必要と考える要素又はその関連要素を記載しており、本発明のコンテンツ処理サーバーは、図３に示す例に限定されない。
【００２５】
図３に示すように、コンテンツ処理サーバー２は、ＣＰＵ２０と、操作入力部２１と、表示部２２と、ＲＯＭ２３と、ＲＡＭ２４と、コンテンツデータ解析部２５（調整内容決定部の一例）と、コンテンツデータ管理部２６と、コンテンツデータ調整部２７（調整部の一例）と、ネットワーク制御部２８（第１のネットワーク制御部の一例）と、記憶部２９と、を備える。
【００２６】
ＣＰＵ２０は、コンテンツ処理サーバー２を構成する各部の動作を制御する。例えば、ＣＰＵ２０は、再生装置１からコンテンツの再生要求が送信された場合に、コンテンツデータ解析部２５に対して、再生要求で指定されたコンテンツの解析を行わせる制御を行う。また、ＣＰＵ２０は、コンテンツデータ調整部２７に対して、コンテンツデータ解析部２５による解析結果に基づくコンテンツの調整を行わせる制御を行う。また、ＣＰＵ２０は、コンテンツデータ調整部２７によって調整が行われたコンテンツを、再生装置１に送信させる制御を行う。さらに、ＣＰＵ２０は、再生装置１からユーザーによるコンテンツの評価結果が送信された場合、該評価結果を、コンテンツの調整内容や調整量に反映させる制御を行う。
【００２７】
操作入力部２１は、例えば、マウスやキーボードなどの入力機器、又は、表示部２２の画面と一体に形成されたタッチセンサ等により構成される。操作入力部２１は、ユーザーにより入力された操作の内容に応じた操作信号を生成して、該操作信号をＣＰＵ２０に供給する。
【００２８】
表示部２２は、例えば、ＬＥＤや有機ＥＬディスプレイ等よりなり、ユーザーによって操作入力部２１に入力された内容に応じた画面を表示する。
【００２９】
なお、本実施形態では、コンテンツ処理サーバー２が操作入力部２１及び表示部２２を備える例を挙げるが、本発明はこれに限定されない。コンテンツ処理サーバー２が操作入力部２１及び表示部２２を備えない構成としてもよい。
【００３０】
ＲＯＭ２３は、ＣＰＵ２０が実行するプログラム等の各種データが記憶される記憶部である。ＲＡＭ２４は、ＣＰＵ１０がプログラムを実行する際の作業領域として使用される。
【００３１】
コンテンツデータ解析部２５は、ネットワークＮを介して接続される不図示のサーバー、ホームページ、ブログ等にアクセスして、これらに記憶されている各種コンテンツデータ及びコンテンツデータの付随情報を、ネットワーク制御部２８を介して定期的に取得する。コンテンツの付随情報には、例えば、コンテンツが収録（生成）された時期を示す情報、コンテンツの周囲に存在する（記載された）コンテンツの内容を形容する文字列等がある。コンテンツデータ解析部２５が取得した各種コンテンツデータ及び該コンテンツデータの付随情報は、記憶部２９に記憶される。
【００３２】
なお、本実施形態では、記憶部２９に、コンテンツデータ及びコンテンツデータ付随情報が記憶される例を挙げるが、本発明はこれに限定されない。記憶部２９には、コンテンツデータやコンテンツ付随情報そのものではなく、コンテンツデータ、コンテンツ付随情報の保存場所へのアクセス情報のみを記憶させてもよい。
【００３３】
また、コンテンツデータ解析部２５は、収集（取得）したコンテンツデータを解析することにより、コンテンツデータを構成する各コンテンツの内容を把握し、把握した内容に基づいて、コンテンツの調整対象を把握する。コンテンツの調整対象は、コンテンツデータ調整部２７によって調整が行われる対象であり、コンテンツの調整が行われるべきコンテンツ内の箇所、又は、コンテンツの種類等を指す。
【００３４】
コンテンツデータ解析部２５によるコンテンツの内容の把握は、例えば、コンテンツが画像である場合には、コンテンツを構成する画像と不図示のテンプレートとのパターンマッチング等によって行うことができる。また、例えば、コンテンツが画像及び音声のいずれである場合にも、コンテンツデータ解析部２５は、コンテンツの周囲に記載されたコンテンツの内容を形容する文字列を解析することによって、コンテンツの内容を把握することができる。コンテンツの内容を形容する文字列は、コンテンツそのものの周囲ではなく、コンテンツの保存場所へのアクセス情報（ＵＲＬ（Uniform Resource Locator）等）の周囲に記載された文字列であってもよい。
【００３５】
また、コンテンツデータ解析部２５は、コンテンツの調整対象と、取得済のコンテンツ付随情報とに基づいて、記憶部２９に記憶されたコンテンツ調整内容テーブルＴ１を参照して、コンテンツの調整内容を決定する。コンテンツの調整内容は、コンテンツをより効果的に魅せる調整の内容であり、より詳細には、コンテンツの生成時の状況を再現又は強調する調整内容である。
【００３６】
コンテンツ調整内容テーブルＴ１では、コンテンツの調整内容と、コンテンツ付随情報と、コンテンツの調整対象とが対応付けて管理される。本実施形態では、コンテンツ調整内容テーブルＴ１として、コンテンツ調整内容テーブルＴ１Ａ（図５参照）及びコンテンツ調整内容テーブルＴ１Ｂ（図６参照）が設けられる例を示す。コンテンツ調整内容テーブルＴ１Ａは、コンテンツ付随情報として、コンテンツの収録（生成）時期の情報を有するテーブルである。コンテンツ調整内容テーブルＴ１Ｂは、コンテンツ付随情報として、コンテンツの周囲に存在するコンテンツの内容を形容する文字列の情報を有するテーブルである。
【００３７】
なお、本実施形態では、コンテンツ調整内容テーブルＴ１が２種類設けられる例を挙げるが、本発明はこれに限定されない。１種類のみのコンテンツ調整内容テーブルＴ１が設けられてもよく、２種類以上のコンテンツ調整内容テーブルＴ１が設けられてもよい。コンテンツ調整内容テーブルＴ１が複数種類設けられる場合には、各テーブルに対して優先順位を設定した上で、コンテンツデータ解析部２５が、設定された優先順位が高いテーブルから順に参照するようにしてもよい。
【００３８】
また、コンテンツデータ解析部２５は、決定したコンテンツに対する調整内容の調整量を、記憶部２９に記憶されたコンテンツ調整量テーブルＴ２を参照して決定する。コンテンツ調整量テーブルＴ２の構成例については、後述の図７及び図８を参照して詳述する。
【００３９】
また、コンテンツデータ解析部２５は、コンテンツの内容を評価することにより、コンテンツ調整量テーブルＴ２における調整量の調整範囲を設定する。コンテンツデータ解析部２５は、調整量の設定範囲として、例えば、コンテンツの調整量の上限を設定する。調整範囲の設定は、調整の内容が行き過ぎたものとならないようにすることを目的として行われる。
【００４０】
例えば、コンテンツが画像である場合、コンテンツデータ解析部２５は、画像の明度を測定し、測定した明度の情報に基づいて、コンテンツ（画像）に対して調整が行われる際の調整量の上限を設定する。また、例えば、コンテンツが音声である場合、コンテンツデータ解析部２５は、音声に含まれる可聴音域におけるノイズ量を測定し、測定したノイズ量の情報に基づいて、コンテンツ（音声）に対して調整が行われる場合の調整量の上限を設定する。
【００４１】
さらに、コンテンツデータ解析部２５は、再生装置１から受信したユーザーによるコンテンツの評価結果を解析し、解析した結果に基づいて、コンテンツ調整量テーブルＴ２における該当項目の値を更新する。
【００４２】
コンテンツデータ管理部２６は、コンテンツデータ解析部２５による解析結果を受け取り、解析結果に基づいて、コンテンツごとに、コンテンツ調整内容テーブルＴ１、コンテンツ調整量テーブルＴ２における調整対象、調整内容、調整量を更新及び管理する。調整量に対する管理としては、コンテンツデータ管理部２６は、コンテンツに対して調整が行われる場合の調整量が、コンテンツデータ解析部２５によって設定された調整範囲を超えないようにすることを行う。
【００４３】
コンテンツデータ調整部２７は、コンテンツデータ解析部２５により決定された調整内容及び調整量に基づいて、再生が指示されたコンテンツを調整し、調整後のコンテンツを含むコンテンツデータを、ネットワーク制御部２８を通じて再生装置１へ送信する。
【００４４】
ネットワーク制御部２８は、再生装置１との間でネットワークＮを介して行われる各種データの送受信動作の制御を行う。再生装置１との間で送受信されるデータには、例えば、コンテンツの再生要求や、調整済みのコンテンツデータ、ユーザーの評価結果などがある。
【００４５】
記憶部２９は、例えば、ＨＤＤ（Hard Disk Drive）等で構成され、コンテンツデータ解析部２５が取得したコンテンツデータ及びコンテンツデータの付随情報（図示略）がそれぞれ対応づけて格納される。コンテンツデータに含まれる各コンテンツは、例えば、コンテンツの管理用のコンテンツＩＤが付与されることにより管理される。なお、コンテンツの管理用にコンテンツに付与されるものは、ＩＤに限定されず、コンテンツを特定可能な識別子として機能するものであれば、ＵＲＬ等の、他のものであってもよい。
【００４６】
また、記憶部２９には、コンテンツ調整内容テーブルＴ１及びコンテンツ調整量テーブルＴ２が格納される。
【００４７】
［コンテンツの周囲の文字列の取得方法］
次に、図４を参照して、コンテンツデータ解析部２５によるコンテンツの周囲の文字列の取得方法について説明する。図４は、コンテンツデータ解析部２５によるコンテンツの周囲の文字列の取得方法の例を示す図である。
【００４８】
図４には、コンテンツＣｎとしてのオーロラの写真を含むブログＢｇを示す。コンテンツデータ解析部２５は、コンテンツＣｎの周辺にある文字の中から、コンテンツＣｎを形容する文字列を検索する。図４に示す例では、コンテンツデータ解析部２５は、コンテンツＣｎの周囲として、例えば、「北極圏の旅」というタイトルが付与された文章が配置された範囲Ａｒを検索する。そして、範囲Ａｒ内にある文字の中から、コンテンツＣｎとしてのオーロラの写真を形容していると考えられる「輝く」という文字（破線の矩形枠で囲んで表示された部分にある文字）を取得する。
【００４９】
コンテンツデータ解析部２５は、取得した「輝く」の文字列と、コンテンツＣｎに写された内容、すなわち、「オーロラ」に基づいて、コンテンツ調整内容テーブルＴ１を参照して、コンテンツの調整内容を決定する。コンテンツの調整内容の決定後は、コンテンツ調整量テーブルＴ２を参照して、コンテンツの調整内容に対応する調整量を決定する。
【００５０】
なお、コンテンツデータ解析部２５は、コンテンツの周囲に存在するコンテンツを形容する文字列が、コンテンツに対して後から追加されたものである場合にも、コンテンツを形容するは、コンテンツの生成時に付与された情報であるとみなす。コンテンツに対して後から追加された文字列も、コンテンツの生成当時の内容を表すものであると考えられるためである。
【００５１】
［コンテンツ調整内容テーブルの構成］
次に、図５及び図６を参照して、コンテンツ調整内容テーブルＴ１の構成例について説明する。図５は、コンテンツの収録時期の情報と対応するコンテンツの調整対象及び調整内容が記載されたコンテンツ調整内容テーブルＴ１Ａの構成例を示す図である。図６は、コンテンツを形容する文字列の情報と対応するコンテンツの調整対象及び調整内容が記載されたコンテンツ調整内容テーブルＴ１Ｂの構成例を示す図である。
【００５２】
図５に示すコンテンツ調整内容テーブルＴ１Ａは、コンテンツデータ調整部２７が、コンテンツの収録（生成）時期の情報に基づいてコンテンツの調整内容を決定する場合に参照するテーブルである。コンテンツ調整内容テーブルＴ１Ａは、「コンテンツの種類」、「コンテンツの調整内容」、「コンテンツの収録時期」及び「調整対象」の各項目を有する。
【００５３】
「コンテンツの調整内容」の項目には、「彩度アップ」、「コントラストアップ」、「鋭い音になるように強調」等の、コンテンツデータ調整部２７によってコンテンツに対して行われる調整の内容を示す情報が格納されている。「コンテンツの種類」の項目には、「画像系」、「音系」等のコンテンツの種類を示す情報が格納されている。「コンテンツ収録時期」の項目には、「９〜１１月」、「戦前」、「冬」等のコンテンツが収録された時期を示す情報が格納されている。「調整対象」には、「紅葉、全体（景色）」、「モノクロ映画」、「鶴の声」等の、コンテンツデータ調整部２７による調整が行われる対象のコンテンツの部分やコンテンツの種類などの情報が格納されている。
【００５４】
例えば、コンテンツデータ解析部２５による解析の結果、コンテンツが、「調整対象」の項目に指定されている「紅葉」を写した画像コンテンツであり、コンテンツの収録時期は「９〜１１月」であることが判明したとする。この場合、コンテンツ調整内容テーブルＴ１Ａにおいては、「調整対象」である「紅葉」には、「彩度アップ」というコンテンツの調整内容が対応付けられている。したがって、コンテンツデータ調整部２７は、コンテンツの調整として、コンテンツである画像において「紅葉」が写っている部分の彩度を上げる調整を行う。
【００５５】
また、例えば、コンテンツデータ解析部２５による解析の結果、コンテンツが、「調整対象」の項目に指定されている「ＡＭラジオコンテンツ」であり、コンテンツの収録時期は「ワイドＦＭ開始前」であることが判明したとする。コンテンツ調整内容テーブルＴ１Ａにおいては、「調整対象」である「ＡＭラジオコンテンツ」には、「モノラル、周波数帯抑制」というコンテンツの調整内容が対応付けられている。したがって、コンテンツデータ調整部２７は、コンテンツの調整として、「ＡＭラジオコンテンツ」である音声の再生方式を「モノラル」に設定するとともに、音声の周波数帯を抑制する調整を行う。
【００５６】
図６に示すコンテンツ調整内容テーブルＴ１Ｂは、コンテンツデータ調整部２７が、コンテンツの周囲に存在するコンテンツを形容する文字列の情報に基づいてコンテンツの調整内容を決定する場合に参照するテーブルである。コンテンツ調整内容テーブルＴ１Ｂは、「コンテンツの種類」、「コンテンツの調整内容」、「形容する文字列」及び「調整対象」の各項目を有する。
【００５７】
「コンテンツの種類」、「コンテンツの調整内容」及び「調整対象」の各項目は、図５に示したコンテンツ調整内容テーブルＴ１Ａと同一である。「形容する文字列」の項目には、「日中撮影」、「美しい」、「真夏の太陽が」、「透き通るような」、「高音が響く」等の、コンテンツを形容する文字列の内容が格納されている。
【００５８】
例えば、コンテンツデータ解析部２５による解析の結果、コンテンツが、「調整対象」の項目に指定されている「オーロラ」を写した画像コンテンツであり、コンテンツの周囲にあったコンテンツを形容は「輝く」であることが判明したとする。コンテンツ調整内容テーブルＴ１Ｂにおいては、「調整対象」である「オーロラ」には、「明度アップ」というコンテンツの調整内容が対応付けられている。したがって、コンテンツデータ調整部２７は、コンテンツの調整として、コンテンツである画像において「オーロラ」が写っている部分の明度を上げる調整を行う。
【００５９】
また、例えば、コンテンツデータ解析部２５による解析の結果、コンテンツの周囲にあったコンテンツを形容する文字列が、「透き通るような」であることが判明し、コンテンツは音声コンテンツであったとする。コンテンツ調整内容テーブルＴ１Ｂにおいては、「透き通るような」の文字列には、「ヒスノイズ削除」というコンテンツの調整内容が対応付けられており、調整対象には「全体」と記載されている。したがって、コンテンツデータ調整部２７は、コンテンツの調整として、周囲に「透き通るような」という文字列が記載された音声の全体に対してヒスノイズを除去する調整を行う。
【００６０】
このように、コンテンツ調整内容テーブルＴ１（Ｔ１Ａ及びＴ１Ｂ）においては、秋に撮影された紅葉の画像の彩度をアップしたり、冬に撮影されたオーロラの画像の明度をアップしたりする等の、コンテンツの生成時の状況を再現又は強調する調整の内容が設定されている。
【００６１】
［コンテンツ調整量テーブルの構成］
次に、図７及び図８を参照して、コンテンツ調整量テーブルＴ２の構成例について説明する。図７は、コンテンツの種類が画像である場合に参照されるコンテンツ調整量テーブルＴ２ｖの構成例を示す図である。図８は、コンテンツの種類が音声である場合に参照されるコンテンツ調整量テーブルＴ２ａの構成例を示す図である。
【００６２】
まず、図７を参照して、コンテンツ調整量テーブルＴ２ｖについて説明する。図７に示すコンテンツ調整量テーブルＴ２ｖは、「生成時期情報」、「調整対象」、「調整内容」及び「元画像に対する調整量」の各項目を有する。
【００６３】
「生成時期情報」は、「生成時期」及び「調整対象を形容する文字列」の２つの項目を有する。「生成時期」には、「９〜１１月」、「戦前」等の、コンテンツが生成（撮影）された時期を示す情報が格納されている。「調整対象を形容する文字列」の項目には、「日中撮影」、「輝く」、「真夏の太陽が」等の、コンテンツの周囲に存在する、コンテンツ（調整対象）を形容する文字列の内容が格納されている。
【００６４】
「調整対象」の項目には、「紅葉」、「風景」、「全体」、「オーロラ」、「花」等の、コンテンツデータ調整部２７（図３参照）による調整が行われる対象を示す情報が格納されている。「全体」は、調整が行われる対象が、コンテンツの一部ではなく、全体であることを示す。
【００６５】
「調整内容」の項目には、調整内容を示す項目（以下、「調整項目」とも称する）として、「Ａ 明度」、「Ｂ 彩度」、「Ｃ 赤色強調」、「Ｄ 肌色修正」、「Ｅ コントラスト」及び「Ｆ 傷ノイズ付加」の各項目が格納されている。各調整項目において、実施されるべき調整内容には丸印が付与されている。
【００６６】
「元画像に対する調整量」の項目には、各調整対象に対して実施される調整の調整量が格納されている。例えば、調整対象の「紅葉」に対して行われる「Ｂ 彩度」及び「Ｃ 赤色強調」の各調整に対しては、それぞれ、「Ｂ：２倍」、「Ｃ：１．５倍」の調整量が設定されている。
【００６７】
例えば、コンテンツが生成（撮影）された時期が「９〜１１月」であり、調整対象が「紅葉」であるとする。この場合、コンテンツデータ調整部２７は、コンテンツにおける紅葉が写っている箇所に対して、彩度を２倍にし、かつ、赤色を１．５倍強調する調整を行う。
【００６８】
また、例えば、調整対象としてのコンテンツを形容する文字列が「美しい」であり、調整対象が「風景」であるとする。この場合、コンテンツデータ調整部２７は、コンテンツにおける風景が写っている箇所に対して、彩度を２倍にする調整を行う。
【００６９】
次に、図８を参照して、コンテンツの種類が音声である場合に参照されるコンテンツ調整量テーブルＴ２ａの構成について説明する。コンテンツ調整量テーブルＴ２ａも、コンテンツ調整量テーブルＴ２ｖと同様の項目を有する。
【００７０】
コンテンツ調整量テーブルＴ２ｖ及びＴ２ａで異なる点は、調整内容の項目である。コンテンツの種類が音声である場合に参照されるコンテンツ調整量テーブルＴ２ａにおいては、調整内容として「Ａ 鋭さ強調」、「Ｂ モノラル」、「Ｃ 周波数制限」、「Ｄ ヒスノイズ削除」、「Ｅ 高音強調」及び「Ｆ 音響特性効果」の各項目が設けられている。そして、コンテンツ調整量テーブルＴ２ａにおいても、各調整項目において、実施されるべき調整内容には丸印が付与されている。
【００７１】
例えば、コンテンツが生成（収録）された時期が「冬」であり、調整対象が「鶴の声」であるとする。この場合、コンテンツデータ調整部２７は、鶴の声の音声に対して、「鋭さ」を２倍に強調する調整を行う。
【００７２】
コンテンツ調整量テーブルＴ２（Ｔ２ｖ、Ｔ２ａ）に記載の調整内容及び調整量は、上述したように、再生装置１から受信したユーザーによるコンテンツの評価結果に基づいて、コンテンツデータ解析部２５によって更新される。
【００７３】
コンテンツに対する評価は、コンテンツデータ調整部２７によって調整が行われたコンテンツが、再生装置１のコンテンツデータ再生部１５によって再生された後に、再生装置１の操作入力部１１を介してユーザーより受け付ける。
【００７４】
コンテンツに対する評価の受け付けは、コンテンツの再生完了後に、再生装置１の表示部１２の画面に、図７及び図８に示したコンテンツ調整量テーブルＴ２の調整内容における「Ａ」〜「Ｆ」の各調整項目及びその評価の選択肢を表示すること等により行うことができる。この場合、コンテンツの鑑賞者としてのユーザーには、各調整項目に対して、例えば１０段落等の評価を入力してもらう。
【００７５】
また、「色」、「コントラスト」等の調整が行われたコンテンツの評価においては、評価の選択肢をより単純化してもよい。例えば、赤色強調の調整が行われた後の紅葉の画像コンテンツに対しては、「不足」、「適正」、「過剰」の３つの選択肢の中から、評価結果に該当するものをユーザーに選択させてもよい。
【００７６】
また、コンテンツに対する評価結果を調整内容（調整項目）に反映させる際に、コンテンツデータ解析部２５は、一つの調整項目だけでなく、該調整項目に関連する他の調整項目の調整量についても、同時に更新してもよい。例えば、コンテンツの評価結果に基づいて、明度の値が更新されることが決定された場合、明度だけでなく、彩度の値も更新してもよい。
【００７７】
このような、ユーザーの評価結果に基づく調整内容及び調整量の更新を、コンテンツデータ解析部２５が繰り返し行うことにより、各コンテンツにおいて、評価を行ったすべてのユーザーが好む平均的な調整量を得ることができる。
【００７８】
なお、コンテンツの調整内容（調整項目）は、図５〜図８を参照して説明した例に限定されない。コンテンツの種類が画像である場合には、コンテンツの調整内容は、画像の形、色、サイズ及び画質のうちの少なくとも１つを変更する調整であれば、どのような内容のものであってもよい。また、コンテンツの種類が動画である場合には、１秒あたりのフレーム数を減らすことにより、収録当時の状況を再現する調整等が行われてもよい。
【００７９】
また、コンテンツの種類が音声である場合には、右チャンネル及び左チャンネルのそれぞれの調整を含む、音声を含む周波数帯域内の時間推移に対する音量及び/又は音質を変更する調整が行われてもよい。
【００８０】
［コンテンツ処理システムによるコンテンツ処理方法］
次に、コンテンツ処理システム１００によるコンテンツ処理方法について説明する。まず、図９を参照して、コンテンツ処理システム１００を構成する再生装置１によるコンテンツ処理方法について説明する。図９は、再生装置１によるコンテンツ処理方法の手順の例を示すフローチャートである。
【００８１】
（再生装置によるコンテンツ処理方法）
まず、再生装置１のＣＰＵ１０（図２参照）は、コンテンツの再生指示がユーザーによって行われたか否かを判定する（ステップＳ１）。ステップＳ１で、コンテンツの再生指示はないと判定された場合（ステップＳ１がＮＯ判定の場合）、ＣＰＵ１０は、ステップＳ１の判定を繰り返す。なお、コンテンツの再生指示は、コンテンツ処理サーバー２にてコンテンツ及びコンテンツの付随情報が取得され、調整内容及び調整量が決定された後において、受け付けるものとする。例えば、コンテンツの調整内容及び調整量の決定後であれば、コンテンツ及びコンテンツの付随情報の取得とほぼ同時期に、該コンテンツの再生（指示）が行われてもよい。
【００８２】
一方、ステップＳ１で、コンテンツの再生指示があったと判定された場合（ステップＳ１がＹＥＳ判定の場合）、ＣＰＵ１０は、コンテンツの再生要求を、ネットワーク制御部１６を介してコンテンツ処理サーバー２に送信する（ステップＳ２）。
【００８３】
次いで、ＣＰＵ１０は、コンテンツの再生要求で指定されたコンテンツのデータ（コンテンツデータ）を、コンテンツ処理サーバー２から受信したか否かを判定する（ステップＳ３）。ステップＳ３で、コンテンツデータは送信されていないと判定された場合（ステップＳ３がＮＯ判定の場合）、ＣＰＵ１０は、ステップＳ３の判定を繰り返す。
【００８４】
一方、ステップＳ３で、コンテンツデータを受信したと判定された場合（ステップＳ３がＹＥＳ判定の場合）、再生装置１のコンテンツデータ再生部１５は、受信したコンテンツを再生する（ステップＳ４）。
【００８５】
次いで、ＣＰＵ１０は、コンテンツに対する評価の案内及び評価項目を、表示部１２の画面に表示させる制御を行う（ステップＳ５）。次いで、ＣＰＵ１０は、表示部１２の画面に表示したすべての評価項目に対する評価の受付が完了したか否かを判定する（ステップＳ６）。
【００８６】
ステップＳ６で、すべての評価項目に対する評価の受付は完了していないと判定された場合（ステップＳ６がＮＯ判定の場合）、ＣＰＵ１０は、タイムアウトしたか否かを判定する（ステップＳ７）。ステップＳ７では、ＣＰＵ１０は、評価を受け付ける時間に設けられたリミットを超えた段階で、未評価の項目が残っているか否かを判定する。
【００８７】
ステップＳ７で、タイムアウトしていないと判定された場合（ステップＳ７がＮＯ判定の場合）、ＣＰＵ１０は、ステップＳ６の判定を繰り返す。すなわち、すべての評価項目に対する評価の受付が完了したか否かを判定する。一方、ステップＳ７で、タイムアウトしたと判定された場合（ステップＳ７がＹＥＳ判定の場合）、ＣＰＵ１０は、コンテンツに付与されたコンテンツＩＤ、及び、ユーザーによる評価結果を、ネットワーク制御部１６を介してコンテンツ処理サーバー２に送信する（ステップＳ８）。ここで、コンテンツ処理サーバー２に送信される評価結果は、タイムアウトする前までに入力された評価結果である。
【００８８】
ステップＳ６で、すべての評価項目に対する評価の受付が完了したと判定された場合（ステップＳ６がＹＥＳ判定の場合）、ＣＰＵ１０は、ステップＳ８の処理を行う。すなわち、コンテンツに付与されたコンテンツＩＤ、及び、ユーザーによる評価結果を、ネットワーク制御部１６を介してコンテンツ処理サーバー２に送信する。
【００８９】
（コンテンツ処理サーバーによるコンテンツ処理方法）
次に、図１０を参照して、コンテンツ処理サーバー２におけるコンテンツ処理方法について説明する。図１０は、コンテンツ処理サーバー２におけるコンテンツ処理の手順の例を示すフローチャートである。
【００９０】
まず、コンテンツ処理サーバー２のＣＰＵ２０（図３参照）は、コンテンツの再生要求を再生装置１から受信したか否かを判定する（ステップＳ１１）。ステップＳ１１で、コンテンツの再生要求を受信したと判定された場合（ステップＳ１１がＹＥＳ判定の場合）、ＣＰＵ２０は、送信準備処理を行う（ステップＳ１２）。送信準備処理については、図１１を参照して後述する。
【００９１】
次いで、ＣＰＵ２０は、ステップＳ１２の送信準備処理において調整が行われたコンテンツを含むコンテンツデータを、ネットワーク制御部２８を介して再生装置１に送信する制御を行う（ステップＳ１３）。
【００９２】
ステップＳ１１で、コンテンツの再生要求を受信していないと判定された場合（ステップＳ１１がＮＯ判定の場合）、ＣＰＵ２０は、ユーザーによるコンテンツの評価結果を受信したか否かを判定する（ステップＳ１４）。ステップＳ１４で、コンテンツの評価結果を受信したと判定された場合（ステップＳ１４がＹＥＳ判定の場合）、ＣＰＵ２０は、評価反映処理を行う（ステップＳ１５）。評価反映処理については、図１２を参照して後述する。
【００９３】
ステップＳ１４で、コンテンツの評価結果を受信していないと判定された場合（ステップＳ１４がＮＯ判定の場合）、ＣＰＵ２０は、ネットワーク制御部２８を介して取得できる範囲のコンテンツデータ及びコンテンツ付随情報を収集する制御を行う（ステップＳ１６）。ステップＳ１６の処理は、例えば、予め定められた所定の周期毎に行われる。
【００９４】
次いで、コンテンツデータ解析部２５は、調整内容決定処理を行う（ステップＳ１７）。調整内容決定処理については、図１３を参照して後述する。
【００９５】
次に、図１１を参照して、コンテンツ処理サーバー２で行われる送信準備処理（図１０のステップＳ１２の処理）について説明する。図１１は、コンテンツ処理サーバー２による送信準備処理の手順の例を示すフローチャートである。
【００９６】
コンテンツデータ解析部２５は、再生要求で指定されたコンテンツの調整内容（調整項目）に対する調整量を、コンテンツ調整量テーブルＴ２から取得する（ステップＳ２１）。次いで、コンテンツデータ調整部２７は、ステップＳ２１で取得した調整量を用いて、コンテンツの調整対象の調整内容を調整する（ステップＳ２２）。
【００９７】
次に、図１２を参照して、コンテンツ処理サーバー２で行われる評価反映処理（図１０のステップＳ１５の処理）について説明する。図１２は、コンテンツ処理サーバーによる評価反映処理の手順の例を示すフローチャートである。
【００９８】
図１０のステップＳ１４でユーザーによるコンテンツの評価結果を受信したと判定された後、コンテンツデータ解析部２５は、評価結果を解析する（ステップＳ３１）。次いで、コンテンツデータ解析部２５は、評価結果の解析結果に基づいて、コンテンツ調整量テーブルＴ２において値を更新する調整項目を決定する（ステップＳ３２）。次いで、コンテンツデータ解析部２５は、更新する調整項目における調整幅を算出する（ステップＳ３３）。
【００９９】
次いで、コンテンツデータ解析部２５は、コンテンツ調整量テーブルＴ２の調整項目に設定されていた規定値と、ステップＳ３３で算出した調整幅との加重平均値を用いて、コンテンツ調整量テーブルＴ２の調整項目の調整量を更新する（ステップＳ３４）。
【０１００】
次に、図１３を参照して、コンテンツ処理サーバー２による調整内容決定処理について説明する。図１３は、コンテンツ処理サーバー２による調整内容決定処理の手順の例を示すフローチャートである。
【０１０１】
まず、コンテンツ処理サーバー２のコンテンツデータ解析部２５は、図１０のステップＳ１６で取得したコンテンツデータを構成する各コンテンツに、管理用のコンテンツＩＤを割り振る（ステップＳ４１）。次いで、コンテンツデータ解析部２５は、図１０のステップＳ１６で取得したコンテンツデータの内容を解析して、コンテンツデータを構成するコンテンツ毎に調整対象を確認する（ステップＳ４２）。
【０１０２】
次いで、コンテンツデータ解析部２５は、コンテンツの内容を評価することにより、コンテンツ毎に調整範囲（調整量の上限）を設定する（ステップＳ４３）。次いで、コンテンツデータ解析部２５は、図１０のステップＳ１６で取得したコンテンツの付随情報に基づいて、調整対象の調整項目、及び、調整範囲を加味した調整量を決定する（ステップＳ４４）。
【０１０３】
次いで、コンテンツデータ解析部２５は、ステップＳ４４で決定した調整項目及び調整量を、コンテンツ調整内容テーブルＴ１、コンテンツ調整量テーブルＴ２に登録する（ステップＳ４５）。
【０１０４】
上述した第１の実施形態では、コンテンツデータ解析部２５が、コンテンツの生成時におけるコンテンツの付随情報に基づいて、コンテンツの生成時の状況を再現又は強調する調整の内容を決定する。そして、コンテンツの再生が指示された場合に、コンテンツデータ調整部２７が、コンテンツデータ解析部２５によって決定された調整内容に従って、コンテンツを調整し、調整後のコンテンツを再生装置１に送信する。
【０１０５】
したがって、本実施形態によれば、コンテンツ処理サーバー２でコンテンツの生成時の状況を再現又は強調する調整が加えられたコンテンツが、ユーザーによってコンテンツの再生が指示された際に、再生装置１で再生される。例えば、再生が指示されたコンテンツが紅葉を写した画像コンテンツであり、コンテンツの付随情報としての撮影時期が１０月であり、調整内容として「赤色強調」が設定されているとする。この場合、本実施形態によれば、画像中の紅葉の赤色を強調するような調整が掛けられてコンテンツが再生される。また、例えば、再生が指示されたコンテンツがオーロラを写した画像コンテンツであり、コンテンツの付随情報としての文字列が「輝く」であり、調整内容として「明度アップ」が設定されているとする。この場合、本実施形態によれば、画像中のオーロラがより明るくなるような調整が掛けられてコンテンツが再生される。それゆえ、本実施形態によれば、ユーザーは、再生されたコンテンツを通して、コンテンツが収録（生成）された当時の状況をより効果的に感じることができる。
【０１０６】
また、上述した第１の実施形態において、コンテンツの付随情報は、コンテンツが生成された時期及び／又は時間の情報である。したがって、コンテンツの再生が指示された時期が夏である場合にも、コンテンツの収録された時期が冬である場合には、再生装置１において、冬の状況を再現又は強調する調整が行われたコンテンツが再生される。したがって、本実施形態によれば、ユーザーは、コンテンツが収録された当時の状況をより効果的に感じることができる。
【０１０７】
また、上述した第１の実施形態において、コンテンツの付随情報は、コンテンツの生成時にコンテンツとともに保持された文字列である。そして、コンテンツデータ調整部２７によって、その文字列の内容に応じた調整が行われる。したがって、本実施形態によれば、コンテンツの生成者が感じた内容を反映したコンテンツを、再生装置１において再生させることができる。
【０１０８】
また、上述した第１の実施形態において、コンテンツの付随情報は、コンテンツとともに保持された文字列は、コンテンツの周囲、又は、コンテンツの保存場所へのアクセス情報の周囲に記載された文字列である。そして、コンテンツデータ調整部２７によって、その文字列の内容に応じた調整が行われる。したがって、本実施形態によれば、コンテンツが掲載されたブログやホームページ等に記載された内容に基づいて、コンテンツデータ調整部２７が、それらの媒体の生成者が感じた内容をより効果的に伝える調整を、コンテンツに施すことができる。
【０１０９】
また、上述した第１の実施形態において、コンテンツデータ調整部による調整は、コンテンツの全体又は一部に対する調整であり、コンテンツが画像である場合には、画像の形、色、サイズ、画質、及び、１秒あたりのフレーム数のうちの少なくとも１つを変更する調整である。また、コンテンツが音声である場合には、右チャンネル及び左チャンネルのそれぞれの調整を含む、音声を含む周波数帯域内の時間推移に対する音量及び/又は音質を変更する調整である。つまり、本実施形態によれば、これらの様々な調整手法により、コンテンツの生成時の状況を再現又は強調する調整が行われるため、再生装置１で再生されるコンテンツにおいて、コンテンツの生成時の状況がより正確に再現又は強調される。
【０１１０】
また、上述した第１の実施形態では、コンテンツデータ解析部２５は、ネットワーク制御部２８が受信したコンテンツの調整内容に対するユーザーの評価結果を取得し、評価結果に基づいて調整内容を更新する。したがって、本実施形態によれば、コンテンツに対して行われる調整の内容に、コンテンツの鑑賞者であるユーザーの好みを反映させることができる。
【０１１１】
＜第２の実施形態＞
［コンテンツ処理システムの構成］
次に、図１４を参照して、本発明の第２の実施形態に係るコンテンツ処理システムの構成について説明する。図１４は、本発明の第２の実施形態に係るコンテンツ処理システム１００Ａの概要構成図である。
【０１１２】
図１４に示すコンテンツ処理システム１００Ａは、再生装置１と、コンテンツ処理サーバー２と、データベースサーバー（以下、「ＤＢサーバー」と称する）３と、を有する。再生装置１、コンテンツ処理サーバー２及びＤＢサーバー３は、それぞれが、公衆回線網等よりなるネットワークＮ１を介して接続される。
【０１１３】
ＤＢサーバー３は、公衆回線網等よりなるネットワークＮ２を介して、様々なコンテンツが記憶されたサーバー４Ａ、４Ｂ、４Ｃ（外部の装置の一例）と接続される。サーバー４Ａ、４Ｂ、４Ｃは、例えば、ブログやホームページ等を公開しているＷｅｂサーバー、企業が所有するサーバー等である。
【０１１４】
再生装置１及びコンテンツ処理サーバー２は、第１の実施形態におけるものと同一であるため、ここではその構成に関する説明は省略する。
【０１１５】
ＤＢサーバー３は、サーバー４Ａ、４Ｂ、４Ｃに記憶された様々なコンテンツ及びコンテンツの付随情報を取得し、取得したコンテンツの付随情報とコンテンツの調整対象とを対応づけて管理する。
【０１１６】
［ＤＢサーバーの制御系の構成］
次に、図１５を参照して、ＤＢサーバー３の制御系の構成について説明する。図１５は、ＤＢサーバー３の制御系の構成例を示すブロック図である。なお、図１５には、本発明の説明に必要と考える要素又はその関連要素を記載しており、本発明のＤＢサーバーは、図１５に示す例に限定されない。
【０１１７】
図１５に示すように、ＤＢサーバー３は、ＣＰＵ３０と、操作入力部３１と、表示部３２と、ＲＯＭ３３と、ＲＡＭ３４と、ネットワーク制御部３５と、調整対象解析部３６と、記憶部３７と、を備える。
【０１１８】
ＣＰＵ３０は、ＤＢサーバー３を構成する各部の動作を制御する。例えば、ＣＰＵ３０は、ネットワーク制御部３５を介して、サーバー４Ａ〜４Ｃから様々なコンテンツデータを取得する制御を行う。また、ＣＰＵ３０は、コンテンツ処理サーバー２からの問い合わせに応じて、コンテンツの付随情報とコンテンツの調整対象との対応を回答する制御行う。
【０１１９】
操作入力部３１は、例えば、マウスやキーボードなどの入力機器、又は、表示部３２の画面と一体に形成されたタッチセンサ等により構成される。操作入力部３１は、ユーザーにより入力された操作の内容に応じた操作信号を生成して、該操作信号をＣＰＵ３０に供給する。
【０１２０】
表示部３２は、例えば、ＬＥＤや有機ＥＬディスプレイ等よりなり、ユーザーによって操作入力部３１に入力された内容に応じた画面を表示する。
【０１２１】
なお、本実施形態では、ＤＢサーバー３が操作入力部３１及び表示部３２を備える例を挙げるが、本発明はこれに限定されない。ＤＢサーバー３が操作入力部３１及び表示部３２を備えない構成としてもよい。
【０１２２】
ＲＯＭ３３は、ＣＰＵ３０が実行するプログラム等の各種データが記憶される記憶部である。ＲＡＭ３４は、ＣＰＵ３０がプログラムを実行する際の作業領域として使用される。
【０１２３】
ネットワーク制御部３５は、コンテンツ処理サーバー２との間でネットワークＮ１を介して行われる各種データの送受信動作の制御を行う。コンテンツ処理サーバー２との間で送受信されるデータには、例えば、コンテンツの周囲に存在する文字列と、調整対象との対応関係の問い合わせや、問い合わせに対する回答などがある。
【０１２４】
また、ネットワーク制御部３５は、サーバー４Ａ〜４Ｃとの間でネットワークＮ２を介して行われる各種データの送受信動作の制御も行う。サーバー４Ａ〜４Ｃとの間で送受信されるデータには、サーバー４Ａ〜４Ｃに記憶されたコンテンツ及びコンテンツの付随情報等がある。
【０１２５】
調整対象解析部３６は、ネットワーク制御部３５を介してサーバー４Ａ〜４Ｃからコンテンツデータ及びコンテンツの付随情報を取得する。そして、コンテンツデータに含まれる各コンテンツを解析することにより各コンテンツの内容を把握し、把握した内容に基づいて、コンテンツの調整対象を把握する。さらに、調整対象解析部３６は、把握した調整対象と、コンテンツの付随情報としての文字列とを対応づけて、記憶部３７内のコンテンツ調整対象ＤＢ３７１に記憶させる。
【０１２６】
記憶部３７は、例えばＨＤＤ等で構成され、記憶部３７には、コンテンツ調整対象データベース（以下、「コンテンツ調整対象ＤＢ」と称する）３７１が格納される。
【０１２７】
［ＤＢサーバーによるコンテンツ処理方法］
次に、図１６を参照して、ＤＢサーバー３によるコンテンツ処理方法について説明する。図１６は、ＤＢサーバー３によるコンテンツ処理方法の手順の例を示すフローチャートである。
【０１２８】
まず、ＤＢサーバー３の調整対象解析部３６は、ネットワークで取得できる範囲において、コンテンツデータ及びコンテンツの付随情報を収集する（ステップＳ５１）。次いで、調整対象解析部３６は、ＤＢ処理を行う（ステップＳ５２）。ＤＢ処理については、図１７を参照して後述する。
【０１２９】
次に、ＤＢサーバー３の調整対象解析部３６によるＤＢ処理について、図１７を参照して説明する。図１７は、ＤＢサーバー３の調整対象解析部３６によるＤＢ処理方法の手順の例を示すフローチャートである。
【０１３０】
まず、ＤＢサーバー３の調整対象解析部３６は、ネットワーク制御部３５を介して、コンテンツ処理サーバー２からコンテンツ調整対象に対する文字列の問い合わせを受け付けたか否かを判定する（ステップＳ６１）。
【０１３１】
ステップＳ６１で、問い合わせを受け付けたと判定された場合（ステップＳ６１がＹＥＳ判定の場合）、調整対象解析部３６は、コンテンツ調整対象ＤＢ３７１を検索して、調整対象と紐づけられた文字列を抽出する。そして、抽出した文字列を、問い合わせを受けた調整対象と紐づけられた文字列として、コンテンツ処理サーバー２に送信する（ステップＳ６２）。
【０１３２】
一方、ステップＳ６１で、問い合わせを受け付けていないと判定された場合（ステップＳ６１がＮＯ判定の場合）、調整対象解析部３６は、図１６のステップＳ５１で取得したコンテンツデータの内容を解析し、コンテンツデータを構成するコンテンツ毎に調整対象を確認する（ステップＳ６３）。
【０１３３】
次いで、調整対象解析部３６は、図１６のステップＳ５１で取得したコンテンツの付随情報から、調整対象を形容する文字列を抽出する（ステップＳ６４）。次いで、調整対象解析部３６は、ステップＳ６４で抽出した文字列と、ステップＳ６３で確認した調整対象とを紐づけて、コンテンツ調整対象ＤＢ３７１に登録する（ステップＳ６５）。
【０１３４】
次に、図１８を参照して、第２の実施形態に係るコンテンツ処理サーバー２による調整内容決定処理方法について説明する。図１８は、コンテンツ処理サーバー２による調整内容決定処理方法の手順の例を示すフローチャートである。
【０１３５】
まず、コンテンツ処理サーバー２のコンテンツデータ解析部２５は、図１０のステップＳ１６で取得したコンテンツデータを構成する各コンテンツに、管理用のコンテンツＩＤを割り振る（ステップＳ７１）。次いで、コンテンツデータ解析部２５は、図１０のステップＳ１６で取得したコンテンツデータの内容を解析して、コンテンツデータを構成するコンテンツ毎に調整対象を確認する（ステップＳ７２）。
【０１３６】
次いで、コンテンツデータ解析部２５は、調整対象に対応する文字列を、ネットワーク制御部２８を介してＤＢサーバー３に問い合わせる（ステップＳ７３）。次いで、コンテンツデータ解析部２５は、ＤＢサーバー３から、調整対象に対応する文字列を受信したか否かを判定する（ステップＳ７４）。
【０１３７】
ステップＳ７４で、調整対象に対応する文字列は受信していないと判定された場合（ステップＳ７４がＮＯ判定の場合）、コンテンツデータ解析部２５は、ステップＳ７４の判定を繰り返す。一方、ステップＳ７４で、調整対象に対応する文字列を受信したと判定された場合（ステップＳ７４がＹＥＳ判定の場合）、コンテンツデータ解析部２５は、コンテンツの内容を評価することにより、コンテンツ毎に調整範囲（調整量の上限）を設定する（ステップＳ７５）。次いで、コンテンツデータ解析部２５は、ＤＢサーバー３から送信された、調整対象に対応する文字列の情報に基づいて、調整対象の調整項目、及び、調整範囲を加味した調整量を決定する（ステップＳ７６）。
【０１３８】
次いで、コンテンツデータ解析部２５は、ステップＳ７６で決定した調整項目及び調整量を、コンテンツ調整内容テーブルＴ１、コンテンツ調整量テーブルＴ２に登録する（ステップＳ７７）。
【０１３９】
上述した第２の実施形態によれば、第１の実施形態により得られる効果と同様の効果が得られる。また、第２の実施形態によれば、調整対象解析部３６によって、コンテンツの付随情報としての文字列と、コンテンツの調整対象との対応関係の情報が、コンテンツ調整対象ＤＢ３７１に蓄積される。したがって、本実施形態では、コンテンツの付随情報としての文字列と、コンテンツの調整対象との対応関係の整合性の精度を高めることができる。
【０１４０】
なお、上述した第２の実施形態では、ＤＢサーバー３において、調整対象解析部３６が、コンテンツの調整対象と、コンテンツの付随情報としての文字列との対応関係をコンテンツ調整対象ＤＢ３７１で管理する例を挙げたが、本発明はこれに限定されない。コンテンツ処理サーバー２のコンテンツデータ解析部２５が行うコンテンツの調整内容及び調整量や、コンテンツデータ管理部２６が行う調整対象、調整量の更新及び管理なども、調整対象解析部３６がコンテンツ調整対象ＤＢ３７１を用いて行ってもよい。
【０１４１】
なお、本発明は上述した各実施形態に限られるものではなく、特許請求の範囲に記載した本発明の要旨を逸脱しない限りにおいて、その他種々の応用例、変形例を取り得る。上述した各実施形態では、コンテンツデータ及びコンテンツの付随情報を、コンテンツ処理サーバー２が所定の周期で外部から取得して記憶部２９に蓄積する例を挙げたが、本発明はこれに限定されない。コンテンツデータ及びコンテンツの付随情報は、コンテンツ処理サーバー２の記憶部２９に予め記憶させておいてもよい。
【符号の説明】
【０１４２】
１…再生装置、２…コンテンツ処理サーバー、３…データベース（ＤＢ）サーバー、２０…ＣＰＵ、２５…コンテンツデータ解析部、２６…コンテンツデータ管理部、２７…コンテンツデータ調整部、２８…ネットワーク制御部、２９…記憶部、１００、１００Ａ…コンテンツ処理システム、３６…調整対象解析部、３７…記憶部、３７１…コンテンツ調整対象データベース（ＤＢ）、Ｔ１、Ｔ１Ａ、Ｔ１Ｂ…コンテンツ調整内容テーブル、Ｔ２、Ｔ２ａ、Ｔ２ｖ…コンテンツ調整量テーブル
【図１】
2020099014.tif 000003
【図２】
2020099014.tif 000004
【図３】
2020099014.tif 000005
【図４】
2020099014.tif 000006
【図５】
2020099014.tif 000007
【図６】
2020099014.tif 000008
【図７】
2020099014.tif 000009
【図８】
2020099014.tif 000010
【図９】
2020099014.tif 000011
【図１０】
2020099014.tif 000012
【図１１】
2020099014.tif 000013
【図１２】
2020099014.tif 000014
【図１３】
2020099014.tif 000015
【図１４】
2020099014.tif 000016
【図１５】
2020099014.tif 000017
【図１６】
2020099014.tif 000018
【図１７】
2020099014.tif 000019
【図１８】
2020099014.tif 000020